(57)【要約】【課題】中敷の足先部や踵部に形成された空間内に注入された内服液が流動するので長時間の歩行でも足が疲労しないという技術を提供する。【解決手段】前記２個のバリヤ（障壁）１０、１０の相互間Ｗは上、下部材９Ａ、９Ｂの内部に封入した流動液体１１の流れを制御する構成としてのオリフィス機構１２を配設している。このオリフィス機構１２の配設方法としては上、下部材９Ａ、９Ｂの内面に一体形成すること又は別異の手段で固定する方法がある。該オリフィス機構１２は上部材（表）９Ａのオリフィス機構の上方絞部１２ａと下部材（裏）９Ｂのオリフィス機構の下方絞部１２ｂとで構成されている。このオリフィス機構１２は上部材（表）９Ａの踵部分９ａから隣接した位置に於ける該上部材及び下部材９Ａ、９Ｂの内面にオリフィス機構の上方絞部１２ａ、オリフィス機構の下方絞部１２ｂのように山形状に突設して形成している。【選択図】図１
2009056082.tif 000002
【特許請求の範囲】
【請求項１】
上部材及び下部材の外周縁の下面を融着して足先部分から踵部分までの内部に空間を形成すると共に該上、下部材の土踏まず部分に２個のバリヤ（障壁）を融着形成した中敷に於いて、前記空間内に内服液及び該内服液と混入する遠赤外線発生物質でなる流動液体を充填・封入し、前記２個のバリヤ（障壁）の相互間Ｗであって前記上、下部材の内面に前記空間内の前記流動液体の流送を制御するオリフィス機構を備えたことを特徴とする履物の中敷の構造。
【請求項２】
上部材及び下部材の外周縁の下面を融着して足先部分から踵部分までの内部に空間を形成すると共に該上、下部材の土踏まず部分に２個のバリヤ（障壁）を融着形成した中敷に於いて、前記空間内に内服液及び該内服液と混入する遠赤外線発生物質でなる流動液体を充填・封入し、前記２個のバリヤ（障壁）の相互間Ｗであって前記上、下部材の内面に前記空間内の前記流動液体の流送を制御する単一垂直方向開閉弁を備えたことを特徴とする履物の中敷の構造。
【請求項３】
上部材及び下部材の外周縁の下面を融着して足先部分から踵部分までの内部に空間を形成すると共に該上、下部材の土踏まず部分に２個のバリヤ（障壁）を融着形成した中敷に於いて、前記空間内に内服液及び該内服液と混入する遠赤外線発生物質でなる流動液体を充填・封入し、前記２個のバリヤ（障壁）の相互間Ｗであって前記上、下部材の内面に前記空間内の前記流動液体の流送を制御する垂直方向上・下双方弁を備えたことを特徴とする履物の中敷の構造。
【請求項４】
前記空間内にラメ状のシートの切れ端又はカラフルな粉末を混入したことを特徴とする請求項１、２又は３記載の履物の中敷の構造。
【請求項５】
前記２個のバリヤ（障壁）の相互間Ｗであって前記上、下部材の内面に水平方向双方弁を備えたことを特徴とする請求項２又は３記載の履物の中敷の構造。
【発明の詳細な説明】
【技術分野】
【０００１】
本発明は、人が歩行するときに履くための革、ゴム、布又は木等で製作された履物であって人足の健康面を考慮し、その底面部等に敷く中敷の構造に関する。
【背景技術】
【０００２】
この種、従来の技術に於ける例としては、図７に示す特開平１−１２６９０５号公開特許公報に開示された技術がある。
これについて説明すれば、エチレン−酢酸ビニル共重合体製上下２枚の靴底形状のシート１、２の周縁部を融着してなる密封袋体３で、その内部空間４には、水５が部分的に封入されている。水の封入程度は図７に示すように、使用時に身体の重心のかけ方により足６から負荷される足の荷重部分は異なるが、この荷重部分において前記上下２枚のシート１、２が接触し、他の荷重の弱い部分に水が移動して上下２枚のシート１、２が空間を形成している。これは前記空間４全域に水を注入したり、あるいは部分的に注入しても最大荷重部分に尚水の存在する空間が存在する程度に水を注入しておくと、使用者は常に流体上にあることになるのでは、長時間使用すると疲労するからである。
また、前記密封袋体３の中央部の上面には、足６の裏の土踏まず６ａに接触しており、部分的に上下２枚のシート１、２を融着して水５に対する複数のバリヤを形成する。これは、このようにして形成される中敷内の水５が、該中敷に負荷される水５によって密封袋体３内を流動する際に障壁となって、該水５を緩慢に流動させ、その間に足６の他の部位を押圧して刺激を与える。また、第７図に示すように、２枚のシート１、２の周縁融着部をその足先部７においては最周縁部だけでなく、その内側にも少なくとも１本の前記周縁部に連続して複数段の融着部を形成しておける最内側融着部で密封されるので、使用する靴の寸法に応じて切断する。そして各シート１，２を形成するエチレン−酢酸ビニル共重合体は、酢酸ビニルを５〜３０重量％、例えば８〜２０重量％含有するエチレン酢酸ビニルとの共重合体であって、その数平均分子量は１０，０００〜１５０，０００例えば３０，０００〜１００，０００である。すなわち酢酸ビニル含有量が５重量％未満では柔軟性およびシール性が不十分であり、一方、３０重量％を越えると、柔軟性の発現が困難となる。前記エチレン−酢酸ビニル共重合体シートの厚みは０．３〜１．０ｍｍ、例えば０．４〜０．８ｍｍである。８はシートの後端部である。
【特許文献１】特開平１−１２６９０５号公開特許公報
【発明の開示】
【発明が解決しようとする課題】
【０００３】
従来の技術は、叙上の構成であるので次の課題が存在した。
図７に示す従来技術に於いては、人の歩行動作で足６の踵が接触するシートの後端部８や足６の爪先部分が接触するシートの足先部７に前記密封袋体３内に注入された水５が流動せず長時間の歩行により足６の疲労が惹起されるという問題があった。
また、従来の技術に於いては、密封袋体３内には水５を注入しているがこれが、これが遠赤外線放射機能を有しておらず長時間の歩行等により、足６の血行促進をすることができず、また冬期に於ける足６の冷え性等が克服できないという問題点があり、これを解消するには遠赤外線効果を有すべくシート１、２の追加工程が要請され、該シート１、２、が高価になるという欠点があった。
さらに、人が長時間の歩行することによりシート１、２に異臭が発生し、これを交換するか又は該シート１、２に消臭スプレーを散布しなければならないという問題点があった。
本発明が解決しようとする課題は、上記背景技術に存在する問題点を解決することにある。
【課題を解決するための手段】
【０００４】
本発明に係る履物の中敷の構造は叙上の問題点を解決すべく発明したものであって、次の構成、手段から成立する。
【０００５】
すなわち、請求項１記載の発明によれば、上部材及び下部材の外周縁の下面を融着して足先部分から踵部分までの内部に空間を形成すると共に該上、下部材の土踏まず部分に２個のバリヤ（障壁）を融着形成した中敷に於いて、前記空間内に内服液及び該内服液と混入する遠赤外線発生物質でなる流動液体を充填・封入し、前記２個のバリヤ（障壁）の相互間Ｗであって前記上、下部材の内面に前記空間内の前記流動液体の流送を制御するオリフィス機構を備えたことを特徴とする。
【０００６】
請求項２記載の発明によれば、上部材及び下部材の外周縁の下面を融着して足先部分から踵部分までの内部に空間を形成すると共に該上、下部材の足踏まず部分に２個のバリヤ（障壁）を融着形成した中敷に於いて、前記空間内に内服液及び該内服液と混入する遠赤外線発生物質でなる流動液体を充填・封入し、前記２個のバリヤ（障壁）の相互間Ｗであって前記上、下部材の内面に前記空間内の前記流動液体の流送を制御する単一垂直方向開閉弁を備えたことを特徴とする。
【０００７】
請求項３記載の発明によれば、上部材及び下部材の外周縁の下面を融着して足先部分から踵部分までの内部に空間を形成すると共に該上、下部材の足踏まず部分に２個のバリヤ（障壁）を融着形成した中敷に於いて、前記空間内に内服液及び該内服液と混入する遠赤外線発生物質でなる流動液体を充填・封入し、前記２個のバリヤ（障壁）の相互間Ｗであって前記上、下部材の内面に前記空間内の前記流動液体の流送を制御する垂直方向上・下双方弁を備えたことを特徴とする。
【０００８】
請求項４記載の発明によれば、請求項１、２又は３記載の履物の中敷の構造に於いて、前記空間内にラメ状のシートの切れ端又はカラフルな粉末を混入したことを特徴とする。
【０００９】
請求項５記載の発明によれば、請求項２又は３記載の履物の中敷の構造に於いて、前記２個のバリヤ（障壁）の相互間Ｗであって前記上、下部材の内面に水平方向双方弁を備えたことを特徴とする。
【発明の効果】
【００１０】
本発明に係る履物の中敷の構造は、叙上の構成を有するので次の効果がある。
【００１１】
すなわち、請求項１記載の発明によれば、上部材及び下部材の外周縁の下面を融着して足先部分から踵部分までの内部に空間を形成すると共に該上、下部材の土踏まず部分に２個のバリヤ（障壁）を融着形成した中敷に於いて、前記空間内に内服液及び該内服液と混入する遠赤外線発生物質でなる流動液体を充填・封入し、前記２個のバリヤ（障壁）の相互間Ｗであって前記上、下部材の内面に前記空間内の前記流動液体の流送を制御するオリフィス機構を備えたことを特徴とする履物の中敷の構造を提供する。
このような構成としたので、人の歩行動作で足の踵が接触するシートの後端部や足の爪先部分が接触するシートの足先部に形成された空間内に注入された内服液が流動するので長時間の歩行により足が疲労しないという効果があり、該内服液と混入する遠赤外線発生物質でなる流動液体が足の長時間の歩行により血行を促進するという効果があり、冬期に於ける足の冷え性等を克服できるという効果があり、流動液体が遠赤外線発生機能を有するのでシートに追加加工が不要であるという効果があり、足の血行が改善されるので足の代謝が正常になり履物内の異臭の発生を抑制できるという効果がある。
【００１２】
また、請求項２記載の発明によれば、上部材及び下部材の外周縁の下面を融着して足先部分から踵部分までの内部に空間を形成すると共に該上、下部材の足踏まず部分に２個のバリヤ（障壁）を融着形成した中敷に於いて、前記空間内に内服液及び該内服液と混入する遠赤外線発生物質でなる流動液体を充填・封入し、前記２個のバリヤ（障壁）の相互間Ｗであって前記上、下部材の内面に前記空間内の前記流動液体の流送を制御する単一垂直方向開閉弁を備えたことを特徴とする履物の中敷の構造を提供する。
このような構成としたので、請求項１記載の発明の効果に加えてオリフィス機能に代えて簡素な構成を有する単一垂直方向開閉弁を追加工することによりその目的を達成でき流動液体を更に微細に制御することができるという効果がある。
【００１３】
また、請求項３記載の発明によれば、上部材及び下部材の外周縁の下面を融着して足先部分から踵部分までの内部に空間を形成すると共に該上、下部材の足踏まず部分に２個のバリヤ（障壁）を融着形成した中敷に於いて、前記空間内に内服液及び該内服液と混入する遠赤外線発生物質でなる流動液体を充填・封入し、前記２個のバリヤ（障壁）の相互間Ｗであって前記上、下部材の内面に前記空間内の前記流動液体の流送を制御する垂直方向上・下双方弁を備えたことを特徴とする履物の中敷の構造を提供する。
このような構成としたので、請求項１記載の発明の効果に加えてオリフィス機能に代えて簡素な構成を有する垂直方向上・下双方弁を追加工することによりその目的を達成でき流動液体を更に微細に制御することができるという効果がある。
【００１４】
また、請求項４記載の発明によれば、前記空間内にラメ状のシートの切れ端又はカラフルな粉末を混入したことを特徴とする請求項１、２又は３記載の履物の中敷の構造を提供する。
このような構成としたので、請求項１記載の発明の効果に加えて中敷の美麗感を向上させ量産性に寄与する効果がある。
【００１５】
さらに、請求項５記載の発明によれば、前記２個のバリヤ（障壁）の相互間Ｗであって前記上、下部材の内面に水平方向双方弁を備えたことを特徴とする請求項２又は３記載の履物の中敷の構造を提供する。
このような構成としたので、請求項１、２、又は３記載の効果に加えてオリフィス機構に代えて簡単な構成を有する水平方向双方弁を追加工することによりその目的を達成でき流動液体を更に微細に制御することができるという効果がある。
【発明を実施するための最良の形態】
【００１６】
以下、本発明に係る履物の中敷の構造に於ける実施の形態について添付図面に基づき詳細に説明する。
【００１７】
図１は、本発明に係る履物の中敷の構造に於ける実施の形態を示す図面であって、（ａ）は当該履物の一方足側を示す平面図、（ｂ）は（ａ）の矢視Ａ−Ａ線方向の断面図である。
【００１８】
９は例えば人が歩行するとき履くための革製、ゴム製、布製、又は木製等履物の底面部に敷く中敷であって、一方足側、本例では右足側の中敷である。該中敷９は図１（ｂ）に示すように上・下２枚の略薄板状の構造物を加熱手段により融着して張り合わせて構成する。すなわち中敷９は上部材（表）９Ａと下部材（裏）９Ｂとで構成する。又内部を中空状に形成した一体物として構成してもよい。
【００１９】
前記上部材（表）９Ａは例えばエチレン−酢酸ビニル共重合樹脂（ＥＶＡ）材料やポリエステル材料、ナイロン材料等で薄板状に形成される。該上部材（表）９Ａは柔軟性や弾力性に冨み、軽量かつ無公害の素材であり、ポリエチレンの如き塩素を包含せず焼却してもダイオキシンが発生せず環境上好ましい材料である。また風雨や紫外線にも強く劣化せず耐久性に優れている。
【００２０】
該上部材（表）９Ａの土踏まず部分には所望数のバリヤ（障壁）１０、１０・・・を形成している。このバリヤ（障壁）１０、１０・・・は前記上部材（表）９Ａと前記下部材（裏）９Ｂを所定個所で相互をヒータ等の加熱手段で融着し所定の形状、すなわち、図１（ａ）に示す例では２個の略コ字状のバリヤ（障壁）１０、１０・・・を作成する。
【００２１】
前記２個のバリヤ（障壁）１０、１０の相互間Ｗは図１（ｂ）に示すように上、下部材９Ａ、９Ｂの内部に封入した流動液体１１の流れを制御する構成としてのオリフィス機構１２を配設している。このオリフィス機構１２の配設方法としては上、下部材９Ａ、９Ｂの内面に一体形成すること又は別異の手段で固定する方法がある。該オリフィス機構１２は上部材（表）９Ａのオリフィス機構の上方絞部１２ａと下部材（裏）９Ｂのオリフィス機構の下方絞部１２ｂとで構成されている。このオリフィス機構１２は上部材（表）９Ａの踵部分９ａから隣接した位置に於ける該上部材及び下部材９Ａ、９Ｂの内面にオリフィス機構の上方絞部１２ａ、オリフィス機構の下方絞部１２ｂのように山形状に突設して形成している。
【００２２】
また上部材（表）９Ａ及び下部材（裏）９Ｂに於ける足先部分９ｂから踵部分９ａまでの内面には空間Ｓを形成する。つまり、中敷９の内部に空間Ｓを形成する。この空間Ｓ内に流動液体１１としての内服液を封入する。流動液体１１は無菌水や食品添加物用プロピレングリコールの内服液でなり、これに遠赤外線発生物質、つまり赤外線のうち波長が長く１００〜２５（マイクロメートル）程度の光線であって水や高分子物質・有機物に吸収され易く除菌・脱臭に利用できる物質であって、消臭物質、殺菌物質、薬剤等を構成する物質、具体的には墨の粉、炭素繊維を短冊状にした粉末等を混合する。そして該流動液体１１に加えて、装飾性物質としての放光するラメ状のシートの切れ端又はカラフルな粉末を混入させる。
【００２３】
前記上部材（表）９Ａの外周縁部９Ｃの下面９ｃと前記下部材（裏）９Ｂの外周縁部９Ｃの下面９ｄは加熱手段を使用して融着する。またほかの成形方法としては前記上部材（表）９Ａと前記下部材（裏）９Ｂを成形型で一体成形すると共に空間Ｓを作成し、この空間Ｓ内に上、下部材９Ａ、９Ｂの成形と同時に流動液体１１を封入した構成としてもよい。
【００２４】
次に、本発明に係る履物の中敷の構造に於ける実施の形態についてその動作等を図２及び図３に基づき説明する。
【００２５】
図２及び図３は各種履物に中敷９を敷設して、この中敷９を断面にした図であって、図２は人足Ｌの踵Ｌ１を上部材９Ａの踵部分９ａの上面に踏み付けた状態を示す垂直断面図である。図３は人足Ｌの足先Ｌ２を上部材９Ａの足先部分９ｂの上面に踏み付けた状態を示す垂直断面図である。
【００２６】
人が歩行する際の人足Ｌの動きは概ね図２と図３を繰返して行う。人足Ｌの踵Ｌ１が図２に示すような状態であるとき、中敷９の上部材（表）９Ａの踵部分９ａは一点鎖線の状態から実線で示すように湾曲する。そこで制御機構としてのオリフィス機構１２の上方絞部１２ａまたはオリフィス機構１２の下方絞部１２ｂが矢印Ｐ１又はＰ２の方向に押圧され該オリフィス機構１２は開放状態から閉止状態になる。そしてオリフィス機構１２の閉止動作により図２に示すようにバリヤ（障壁）１０、１０の相互間Ｗの領域に於ける上部材（表）９Ａと下部材（裏）９Ｂ間に形成された空間Ｓ内に内服液等でなる流動液体１１が踵部分９ａから足先部分９ｂの方向への流れが阻止され、矢印ａ方向に示すように旋回する。そして当該空間Ｓ内の流動液体１１は図１（ａ）で示すようにバリヤ（障壁）１０と一方端の中敷９の外周縁部９Ｃとの間及びバリヤ（障壁）１０と他方端の中敷９の外周縁部９Ｃとの間を矢印ｂ、ｂの如く狭い流通路を流過する。つまり踵部分９ａに於ける空間Ｓに封入された当該流動液体１１が足先部分９ｂの空間Ｓの方向に緩慢に移動する。最後に、上部材（表）９Ａの踵部分９ａが下部材（裏）９Ｂの内底面９Ｂ１に接触するまで押圧される。これは人足Ｌの踵Ｌ１に荷重を加えるとき、中敷９の踵部分９ａにクッション性を保持するためである。
【００２７】
また人足Ｌの足先Ｌ２が図３に示すような状態にあるとき、中敷９の上部材（表）９Ａの足先部分９ｂは一点鎖線の状態から実線で示すように湾曲する。そこで制御機構としてのオリフィス機構１２は復元して開放状態になる。オリフィス機構１２の開放動作により、図１（ａ）に示すようにバリヤ（障壁）１０、１０の相互間Ｗの領域に於ける上部材（表）９Ａと下部材（裏）９Ｂ間に形成された空間Ｓが開放され、流動液体１１が図１（ａ）及び図３に示すように矢印ｄ方向及びバリヤ（障壁）１０と一方端の中敷９の外周縁部９Ｃとの間及びバリヤ（障壁）１０と他方端の中敷９の外周縁部９Ｃとの間を矢印ｃ、ｃ方向に移動する。かくして人足Ｌの足先Ｌ２に荷重を掛けたときには、流動液体１１が足先部分９ｂの空間Ｓから踵部分９ａの空間へ急速に移動してその足先Ｌ２に於ける上部材（表）９Ａの足先部分９ｂを速やかに下部材（裏）９Ｂの内底面９Ｂ２に接触させる。これにより人足Ｌが安定した状態で履物の中に収容される。このように、流動液体１１の流動速度に変化を付与することにより人足Ｌの歩行動作を円滑にし路面上等で歩き易くし、長時間の歩行においても人足Ｌの疲労を無くすことになった。
【００２８】
さらに当該流動液体１１内に無菌水や、食品添加物用プロピレングリコールでなる内服液の他に遠赤外線物質を混入したので人足Ｌの足裏の発汗現象等による臭いを消臭し、又殺菌作用を常に行わせるので足裏を清潔にすると共に外部から消臭スプレー等を使用することなく耐久性の高い中敷９を提供できる。また、内服液や遠赤外線物質に加えてカラフルな粉末等の装飾性物質を混入させ中敷９を外部から見て、美麗感を向上させ、購買意欲を促進する効果を出させることが可能である。
【実施例１】
【００２９】
次に本発明に係る履物の中敷の構造に於ける実施例１について説明する。
【００３０】
図４は本発明に係る履物の中敷の構造に於ける実施例１を示す図面であって、（ａ）は当該履物に一方足側を示す平面図、（ｂ）は（ａ）の矢視Ｂ−Ｂ線方向の断面図である。
【００３１】
当該実施例１は前述した図１（ａ）（ｂ）、図２及び図３に示す本発明に係る実施の形態で示す構成と概ね同一である。そして、前述したオリフィス機構１２に代えて単一垂直方向開閉弁を備えたことを特徴とする。他の構成は図１（ａ）（ｂ）、図２及び図３と同一でありその説明は省略する。
【００３２】
ここで、本発明に係る履物の中敷の構造に於ける実施例１についてその動作等を図４（ａ）（ｂ）等に基づき説明する。
【００３３】
図４(ａ)は各種履物の中敷９の構造を示す平面図、図４（ｂ）はこの中敷９を垂直断面にした図である。
【００３４】
人が歩行する際の人足Ｌの動きはこの実施例１に於いても図２と図３を繰返して行う。人足Ｌの踵Ｌ１が図２に示すような状態であるとき、中敷９の上部材（表）９Ａの踵部分９ａは一点鎖線の状態から実線で示すように湾曲し又、上部材（表）９Ａの表面が一点鎖線Ｌ３のように湾曲する。そこで制御機構としての単一垂直方向開閉弁１２Ａが上部材（表）９Ａの表面に押圧され該単一垂直方向開閉弁１２Ａは開放状態から閉止状態になる。そして単一垂直方向開閉弁１２Ａの閉止動作により図１（ａ）に示すようにバリヤ（障壁）１０、１０の相互間Ｗの領域に於ける上部材（表）９Ａと下部材（裏）９Ｂ間に形成された空間Ｓ内に内服液等でなる流動液体１１が踵部分９ａから足先部分９ｂの方向得の流れが阻止される。そして当該空間Ｓ内の流動液体１１は図１（ａ）で示すようにバリヤ（障壁）１０と一方端の中敷９の外周縁部９Ｃとの間及びバリヤ（障壁）１０と他方端の中敷９の外周縁部９Ｃとの間を矢印ｂ、ｂの如く狭い流通路を流過する。つまり踵部分９ａに於ける空間Ｓに封入された当該流動液体１１が足先部分９ｂの空間Ｓの方向に緩慢に移動する。最後に、上部材（表）９Ａの踵部分９ａが下部材（裏）９Ｂの内底面９Ｂ１に接触するまで押圧される。これは人足Ｌの踵Ｌ１に荷重を加えるとき、中敷９の踵部分９ａにクッション性を保持するためである。
【００３５】
また人足Ｌの足先Ｌ２が図３に示すような状態にあるときも前述した動作を行う。中敷９の上部材（表）９Ａの足先部分９ｂは一点鎖線の状態から実線で示すように湾曲する。そこで上部材（表）９Ａの表面が実線で示すように復元し制御機構としての単一垂直方向開閉弁１２Ａは開放状態になる。この単一垂直方向開閉弁１２Ａの開放動作により、前述した動作を行う。かくして人足Ｌの足先Ｌ２に荷重を掛けたときには、流動液体１１が足先部分９ｂの空間Ｓから踵部分９ａの空間へ急速に移動してその足先Ｌ２に於ける上部材（表）９Ａの足先部分９ｂを速やかに下部材（裏）９Ｂの内底面９Ｂ２に接触させる。これにより人足Ｌが安定した状態で履物の中に収容される。このように、流動液体１１の流動速度に変化を付与することにより人足Ｌの歩行動作を円滑にし路面上等で歩き易くし、長時間の歩行においても人足Ｌの疲労を無くすことになった。
上述の説明に於いて、単一垂直方向開閉弁１２Ａはその一部又は全体が柔軟性材料で形成し弁機能をもたせてもよい。
【実施例２】
【００３６】
次に本発明に係る履物の中敷の構造に於ける実施例２について説明する。
【００３７】
図５は本発明に係る履物の中敷の構造に於ける実施例２を示す図面であって、（ａ）は当該履物に一方足側を示す平面図、（ｂ）は（ａ）の矢視Ｃ−Ｃ線方向の断面図である。
【００３８】
当該実施例２は前述した図１（ａ）（ｂ）、図２及び図３に示す本発明に係る実施の形態で示す構成と概ね同一である。そして、前述したオリフィス機構１２に代えて垂直方向上・下双方弁を備えたことを特徴とする。他の構成は図１（ａ）（ｂ）、図２及び図３と同一でありその説明は省略する。
【００３９】
ここで、本発明に係る履物の中敷の構造に於ける実施例２についてその動作等を図５（ａ）（ｂ）等に基づき説明する。
【００４０】
図５(ａ)は各種履物の中敷９の構造を示す平面図、図５（ｂ）はこの中敷９を垂直断面にした図である。
【００４１】
人が歩行する際の人足Ｌの動きはこの実施例２に於いても図２と図３を繰返して行う。人足Ｌの踵Ｌ１が図２に示すような状態であるとき、中敷９の上部材（表）９Ａの踵部分９ａは一点鎖線の状態から実線で示すように湾曲し又、上部材（表）９Ａの表面に荷重Ｐ３が掛り一点鎖線Ｌ４のように湾曲する。そこで制御機構としての上側弁１２ｃと下側弁１２ｄで構成された垂直方向上・下双方弁１２Ｂが上部材（表）９Ａの表面に押圧され該垂直方向向上・下双方弁１２Ｂは開放状態から閉止状態になる。
そして垂直方向向上・下双方弁１２Ｂの閉止動作により図１（ａ）に示すようにバリヤ（障壁）１０、１０の相互間Ｗの領域に於ける上部材（表）９Ａと下部材（裏）９Ｂ間に形成された空間Ｓ内に内服液等でなる流動液体１１が踵部分９ａから足先部分９ｂの方向への流れが阻止される。そして当該空間Ｓ内の流動液体１１は図１（ａ）で示すようにバリヤ（障壁）１０と一方端の中敷９の外周縁部９Ｃとの間及びバリヤ（障壁）１０と他方端の中敷９の外周縁部９Ｃとの間を矢印ｂ、ｂの如く狭い流通路を流過する。つまり踵部分９ａに於ける空間Ｓに封入された当該流動液体１１が足先部分９ｂの空間Ｓの方向に緩慢に移動する。最後に、上部材（表）９Ａの踵部分９ａが下部材（裏）９Ｂの内底面９Ｂ１に接触するまで押圧される。これは人足Ｌの踵Ｌ１に荷重を加えるとき、中敷９の踵部分９ａにクッション性を保持するためである。
【００４２】
また人足Ｌの足先Ｌ２が図３に示すような状態にあるときも前述した動作を行う。中敷９の上部材（表）９Ａの足先部分９ｂは一点鎖線の状態から実線で示すように湾曲する。そこで上部材（表）９Ａの表面が実線で示すように復元し制御機構としての垂直方向上・下双方弁１２Ｂは開放状態になる。この垂直方向上・下双方弁１２Ｂの開放動作により、前述した動作を行う。かくして人足Ｌの足先Ｌ２に荷重を掛けたときには、流動液体１１が足先部分９ｂの空間Ｓから踵部分９ａの空間へ急速に移動してその足先Ｌ２に於ける上部材（表）９Ａの足先部分９ｂを速やかに下部材（裏）９Ｂの内底面９Ｂ２に接触させる。これにより人足Ｌが安定した状態で履物の中に収容される。このように、流動液体１１の流動速度に変化を付与することにより人足Ｌの歩行動作を円滑にし路面上等で歩き易くし、長時間の歩行においても人足Ｌの疲労を無くすことになった。
上述の説明に於いて、垂直方向上・下双方弁１２Ｂの上側弁１２ｃ、下側弁１２ｄはその一部又は全体が柔軟性材料で形成し弁機能をもたせてもよい。
【実施例３】
【００４３】
次に本発明に係る履物の中敷の構造に於ける実施例３について説明する。
【００４４】
図６は本発明に係る履物の中敷の構造に於ける実施例３を示す図面であって、（ａ）は当該履物に一方足側を示す平面図、（ｂ）は（ａ）の矢視Ｄ−Ｄ線方向の断面図である。
【００４５】
当該実施例３は前述した図４（ａ）（ｂ）、図５（ａ）（ｂ）に示す本発明に係る実施例１及び２に示す構成に追加した構成を示している。そして、前述した単一垂直方向開閉弁１２Ａ又は垂直方向上・下双方弁１２Ｂに水平方向双方弁１２Ｃを加えたことを特徴とする。他の構成及び動作は図４（ａ）（ｂ）、図５（ａ）（ｂ）と略同一でありその説明は省略する。
【図面の簡単な説明】
【００４６】
【図１】本発明に係る履物の中敷の構造に於ける実施の形態を示す図面であって、（ａ）は当該履物の一方足側を示す平面図、（ｂ）は（ａ）の矢視Ａ−Ａ線方向の断面図である。
【図２】本発明に係る履物の中敷の構造に於ける実施の形態を示す図面であって、人足の踵を上部材の踵部分の上面に踏み付けた状態を示す垂直断面図である。
【図３】本発明に係る履物の中敷の構造に於ける実施の形態を示す図面であって、人足の足先を上部材の足先部分の上面に踏み付けた状態を示す垂直断面図である。
【図４】本発明に係る履物の中敷の構造に於ける実施例１を示す図面であって、(ａ)は中敷の構造を示す平面図、（ｂ）は(ａ)の矢視Ｂ−Ｂ線方向の断面図である。
【図５】本発明に係る履物の中敷の構造に於ける実施例２を示す図面であって、(ａ)は中敷の構造を示す平面図、（ｂ）は(ａ)の矢視Ｃ−Ｃ線方向の断面図である。
【図６】本発明に係る履物の中敷の構造に於ける実施例３を示す図面であって、(ａ)は中敷の構造を示す平面図、（ｂ）は(ａ)の矢視Ｄ−Ｄ線方向の断面図である。
【図７】従来の技術に於ける一例であって中敷の構造を示す断面図である。
【符号の説明】
【００４７】
９        履物の中敷
９Ａ      履物の中敷の上部材（表）
９ａ      履物の中敷の上部材（表）の踵部分
９ｂ      履物の中敷の上部材（表）の足先部分
９ｃ      履物の中敷の上部材（表）の外周縁部の下面
９Ｂ      履物の中敷の下部材（裏）
９Ｂ１    履物の中敷の下部材（裏）の内底面
９Ｂ２    履物の中敷の下部材（裏）の内底面
９ｄ      履物の中敷の下部材（裏）の外周縁部の下面
９Ｃ      履物の中敷の外周縁部
１０      バリヤ（障壁）
１１      流動液体
１２      オリフィス機構
１２Ａ    単一垂直方向開閉弁
１２Ｂ    垂直方向上・下双方弁
１２ｃ    垂直方向上・下双方弁の上側弁
１２ｄ    垂直方向上・下双方弁の下側弁
１２Ｃ    水平方向双方弁
１２ａ    オリフィス機構の上方絞部
１２ｂ    オリフィス機構の下方絞部
Ｓ        空間
Ｌ        人足
Ｌ１      人足の踵
Ｌ２      人足の足先
【図１】
2009056082.tif 000003
【図２】
2009056082.tif 000004
【図３】
2009056082.tif 000005
【図４】
2009056082.tif 000006
【図５】
2009056082.tif 000007
【図６】
2009056082.tif 000008
【図７】
2009056082.tif 000009